(57)【特許請求の範囲】
【請求項１】
シーク機構によってディスクの半径方向に移動可能なキャリッジと、このキャリッジに搭載され、少なくともフォーカス方向に変位可能なアクチュエータと、このアクチュエータに保持された第１レンズと、上記キャリッジにサスペンション部材を介して、このサスペンション部材に対して揺動可能となるように支持されたスライダと、このスライダに保持された第２レンズとを備える光ディスク装置において、
アクチュエータとスライダとがフォーカス方向に相互に変位して両者が接触する場合、スライダがサスペンション部材に対して所定以上の角度をもって傾斜することを防止するスライダ傾斜防止手段を設けたことを特徴とする、光ディスク装置。
【請求項２】
スライダは、サスペンション部材の先端部に対してジンバルバネを介して所定のピボットを中心として弾性復帰力をもって揺動可能に支持されている、請求項１に記載の光ディスク装置。
【請求項３】
スライダ傾斜防止手段は、スライダにおけるアクチュエータ対向面にアクチュエータに向けて突起を形成することによって構成されている、請求項２に記載の光ディスク装置。
【請求項４】
スライダ傾斜防止手段は、アクチュエータにおけるスライダ対向面に、スライダに向けて突起を形成することによって構成されている、請求項２に記載の光ディスク装置。
【請求項５】
スライダ傾斜防止手段は、スライダにおけるアクチュエータ対向面と、アクチュエータにおけるスライダ対向面の双方に、互いに対向して延びる突起を形成することによって構成されている、請求項２に記載の光ディスク装置。
【請求項６】
突起は、平面視においてジンバルバネのピボットを取り囲むように複数形成されている、請求項３ないし４のいずれかに記載の光ディスク装置。
【請求項７】
突起は、その一部または全部が、衝撃緩衝部材によって形成されている、請求項６に記載の光ディスク装置。
【発明の詳細な説明】
【０００１】
【発明が属する技術分野】
本願発明は、光ディスク装置に関する。なお、本明細書において光ディスク装置の意味中には、光ディスクの読み取り専用の装置のみならず、磁界変調方式や光パルス変調方式によって光磁気ディスクに読み書き可能な光磁気ディスク装置をも含む。
【０００２】
【従来の技術】
光ディスク装置はコンピュータ用の大容量外部記憶装置等として幅広く用いられており、今後のマルチメディア時代の本格到来に向け、さらに記録密度の高密度化が求められている。
【０００３】
図７に、この種の光ディスク装置の光学ヘッド部分の要部を模式的に示す。直進ボイスコイルモータなどの直進駆動機構からなる粗シーク機構２２によってディスクの半径方向に移動可能となったキャリッジ２０には、アクチュエータ３０が搭載され、このアクチュエータ３０には、１つの対物レンズ４が保持されている。光源から入射された光ビームＢは、キャリッジ上の立ち上げミラー２４で反射させられて対物レンズ４に入射され、対物レンズ４は、この光ビームを絞ってディスクの記録面上にビームスポットを形成する。アクチュエータ３０は、ディスクの回転時に生じる光軸方向の面振れやディスクの半径方向の偏心に対して、ビームスポットがディスク上の所定の記録トラックに高精度に追従するように対物レンズ４を移動させる役割をもっている。アクチュエータ３０が光軸方向に動いてビームスポットを光軸方向に移動させてビームスポットを記録面に合わせることをフォーカシング、アクチュエータがディスクの半径方向に動いてビームスポットをディスクの半径方向に移動させて記録トラックに合わせることをトラッキングという。アクチュエータ３０の制御は、ディスクＤからの反射光から得られるフォーカスエラー信号およびトラックエラー信号に基づいて行なわれる。粗シーク機構２２は、キャリッジ全体をディスクの半径方向に動かして対物レンズ４をディスク上の所望の記録エリア近傍まで移動させる。
【０００４】
近年、光ディスクの記録密度を上げるための方策として、光学ヘッドの高ＮＡ化が検討されている。一般に、ビームスポットの径は、光源波長に比例し、ＮＡに反比例する。したがって、対物レンズの適正な高ＮＡ化を図ることができれば、光源波長を短くしなくとも、ビームスポットの小径化を図り、記録密度を高めることができる。ちなみに、現在市販されているコンパクト・ディスク（ＣＤ）のＮＡは０．４５、３．５インチ光磁気ディスク（ＭＯ）のＮＡは０．５５、ディジタル・バーサタイル・ディスク（ＤＶＤ）のＮＡは０．６であるが、光ディスクにおいて２時間超の動画データを記録可能な１０ＧＢ以上の容量を達成するためには、ＮＡは、０．８以上とする必要がある。しかしながら、このような高いＮＡを採用する場合、対物レンズそのものの製作が困難となること、ディスクの厚みむらに起因する球面収差（ＮＡの４乗に比例）やディスクのチルトに起因するコマ収差（ＮＡの３乗に比例）の影響が大きくなること、などの問題から、図７に示すような１つの対物レンズをアクチュエータに保持する構成では、実現が非常に困難となる。
【０００５】
そこで、本願の出願人はすでに、上記のような問題を解消した光学ヘッドを提案している（特願平１０−１８５２８３号）。この光学ヘッドは、本願の図１および図２に示すように、対物レンズを光軸方向に並ぶ２つのレンズに分け、第１のレンズ４１を従来と同様にキャリッジ２０に搭載したアクチュエータ３０に保持させるとともに、第２のレンズ４２をディスク表面に倣うスライダ５０に保持させた構成の光学ヘッドである。スライダ５０は、サスペンション部材７０を介して支持されている。サスペンション部材７０は、一端がキャリッジ２０に連結され、他端にスライダ５０が連結される。サスペンション部材７０とスライダ５０との連結には、ジンバルバネ８０が採用され、スライダ５０は、サスペンション部材７０の先端において、所定のピボット８５を中心として揺動可能である。
【０００６】
作動時、スライダ５０は、回転するディスクＤの表面に対してサスペンション部材７０の弾性による所定の圧力で押し付けられる。そして、このスライダ５０は通常、ディスクＤの表面に対してエアベアリングの作用によってわずかなすきまを介して浮上するが、ディスクの厚みむら（面ぶれ）に対してはサスペンション部材７０が撓むことによって追従し、ディスクのチルトに対してはジンバルバネ８０が変形することによって追従する。
【０００７】
このような構成の光学ヘッドによれば、２つのレンズ４１，４２を組み合わせることによって対物レンズ全体としてのＮＡを高く設定することができるので、基本的に、記録密度をさらに高めることができる。各レンズのＮＡは比較的小さく設定でき、あるいは、レンズの形状誤差に対するマージンを確保することができるので、各レンズの製作も容易である。さらに、スライダ５０がディスク表面に倣ってディスク表面の直近で姿勢変位するため、ディスクＤのチルトに起因するコマ収差は抑制される。加えて、ディスクＤの厚みむらに起因して発生する球面収差は、アクチュエータ３０を光軸方向に動かしてレンズ間間隔を調整することにより抑制することができる。このようにして、図７に示した構成を有する光学ヘッドのもつ問題は解消される。
【０００８】
【発明が解決しようとする課題】
ところで、上記構成の光学ヘッドにおいて、スライダ５０がディスク表面に対して浮上しつつディスクＤのチルトに対して適正に追従するためには、特にサスペンション部材７０の先端のジンバルバネ８０に高い性能が求められる。すなわち、ジンバルバネ８０の弾性限界内において、ディスクのチルトに倣ってスライダ５０を円滑に揺動させる性能が求められる。ジンバルバネ８０の剛性が高めであると、適正な浮上状態を維持しつつスライダ５０を円滑に揺動させることができないし、剛性が低過ぎると、サスペンション部材７０に対するスライダ５０の支持剛性が低くなって不要共振などが発生し、スライダ５０の姿勢が不安定となる。一般には、このジンバルバネ８０は、厚み１００μｍ以下の金属薄板によって形成され、上記の特性を得るためにその撓み自由長は比較的短くならざるをえない。
【０００９】
一方、光ディスク装置に対する外部からの衝撃やアクチュエータ３０の暴走等によってアクチュエータ３０とスライダ５０とが互いに近付く方向に変位した場合、両者が衝突してしまう可能性がある。光学ヘッドの仕様により、第１レンズ４１と第２レンズ４２との間隔が小さく設定されている場合には、このような衝突の可能性がより大きくなる。そうすると、何らの手当ても施さなければ、アクチュエータ３０とスライダ５０の衝突時にスライダ５０に不用意な偶力が作用し、ジンバルバネ８０がこのような偶力に耐えきれずに塑性変形を起こしてしまい、光学ヘッドが動作不能に陥ってしまう可能性がある。
【００１０】
本願発明は、このような事情のもとで考え出されたものであり、サスペンション部材に対してスライダを揺動可能に支持するジンバルバネの性能を高度に維持しつつ、ジンバルバネの不慮の破損を回避することをその課題とする。
【００１１】
【発明の開示】
上記の課題を解決するため、本願発明では、次の技術的手段を講じている。
【００１２】
本願発明によって提供される光ディスク装置は、シーク機構によってディスクの半径方向に移動可能なキャリッジと、このキャリッジに搭載され、少なくともフォーカス方向に変位可能なアクチュエータと、このアクチュエータに保持された第１レンズと、上記キャリッジにサスペンション部材を介して、このサスペンション部材に対して揺動可能となるように支持されたスライダと、このスライダに保持された第２レンズとを備える光ディスク装置において、アクチュエータとスライダとがフォーカス方向に相互に変位して両者が接触する場合、スライダがサスペンション部材に対して所定以上の角度をもって傾斜することを防止するスライダ傾斜防止手段を設けたことを特徴とする。ここで、第１レンズおよび第２レンズは、それぞれ１個のレンズによって構成されていてもよいし、複数個のレンズによって構成されていてもよい。
【００１３】
好ましい実施の形態においては、スライダは、サスペンション部材の先端部に対してジンバルバネを介して所定のピボットを中心として弾性復帰力をもって揺動可能に支持されている。
【００１４】
アクチュエータの上面は、機能部品や第１レンズによって不定形な突部が形成される場合が多い。また、同様に、スライダの下面は、レンズが露出することによる突部が形成される場合がある。このような場合、アクチュエータの暴走や外部からの衝撃に起因して、アクチュエータとスライダとが衝突する場合、スライダに不用意な偶力が作用してしまい、ジンバルバネが永久変形して破損する不具合が生じる。しかし、本願発明の場合、スライダ傾斜防止手段により、アクチュエータとスライダとが衝突する場合にスライダがサスペンション部材に対して所定以上の角度をもって傾斜することを防止するので、上記のようなジンバルバネの破損は回避される。
【００１５】
好ましい実施の形態においてはまた、スライダ傾斜防止手段は、スライダにおけるアクチュエータ対向面にアクチュエータに向けて突起を形成することによって構成されている。
【００１６】
好ましい実施の形態においてはさらに、スライダ傾斜防止手段は、アクチュエータにおけるスライダ対向面に、スライダに向けて突起を形成することによって構成されている。
【００１７】
好ましい実施の形態においてはまた、スライダ傾斜防止手段は、スライダにおけるアクチュエータ対向面と、アクチュエータにおけるスライダ対向面の双方に、互いに対向して延びる突起を形成することによって構成されている。
【００１８】
好ましい実施の形態におてはさらに、突起は、平面視においてジンバルバネのピボットを取り囲むように複数形成されている。
【００１９】
このように、スライダ傾斜防止手段として、アクチュエータのスライダ対向面および／またはスライダのアクチュエータ対向面に突起を形成することによって構成することにより、アクチュエータおよび／またはスライダの質量を最小限に抑制しつつ、ジンバルバネの破損を防止することができる。すなわち、ディスクのチルトに対するスライダの倣い応答性を向上させるには、スライダの外形および質量をできる限り抑制し、かつ、ジンバルバネのバネ剛性をできるかぎり小さくするのがよい。このようなことから、上記構成によれば、最高のスライダの倣い特性を達成しつつ、ジンバルバネの破損による不具合を都合よく回避することができるのである。
【００２０】
好ましい実施の形態においてはまた、突起は、その一部または全部が、衝撃緩衝部材によって形成されている。
【００２１】
このように構成すれば、アクチュエータとスライダとの衝突時の衝撃を緩和し、衝撃によるアクチュエータまたはスライダの破損を都合よく回避することができる。
【００２２】
本願発明のその他の特徴および利点は、図面を参照して以下に行なう詳細な説明から、より明らかとなろう。
【００２３】
【発明の実施の形態】
以下、本願発明の好ましい実施の形態を、図面を参照しつつ具体的に説明する。
【００２４】
図１および図２に示されるように、ディスクＤは、その記録面（光ビームを受ける面）を下向きにして、垂直のスピンドル１０に装着された状態で回転する。ディスクＤの下側において、キャリッジ２０が、粗シーク機構２２によってディスクＤの半径方向に移動可能に設けられている。すなわち、このキャリッジ２０は、直線状のガイドロッド２１に対して摺動可能に支持されているとともに、直進ボイスコイルモータ２３によってガイドロッド２１に沿って駆動可能とされている。直進ボイスコイルモータ２３は、ガイドロッド２１に沿って延びるヨーク２６に保持された永久磁石２５と、ヨーク２６を非接触に取り囲むようにしてキャリッジ２０に保持させたコイル２７とによって構成されている。
【００２５】
キャリッジ２０には、少なくともフォーカス方向、すなわち、ディスクの厚み方向に変位可能なアクチュエータ３０が搭載されている。図に示す実施形態では、フォーカス方向とトラッキング方向（ディスクの半径方向）とに変位可能な二次元アクチュエータ３０が採用されている。このような二次元アクチュエータ３０は通常、アクチュエータ本体３１キャリッジ２０から延びる４本の弾性ロッド３２で支持することにより、フォーカス方向とトラッキング方向とに略平行移動可能とする一方、アクチュエータ本体３１側にフォーカッシング用コイルおよびトラッキング用コイル（図示略）３３を保持させるとともに、これらのコイル３３に近接させて永久磁石（図示略）をキャリッジ２０に固定配置することによって構成される。
【００２６】
アクチュエータ２０には、レンズ軸Ｌ１が垂直方向を向く第１レンズ４１が保持されている。この第１レンズ４１は、後記するスライダ５０に保持される第２レンズ４２と協働して、ディスクＤの記録面にビームスポットを形成する対物レンズを構成する。
【００２７】
キャリッジ２０にはまた、外部に配置した光源からキャリッジ２０の軌道の方向に照射された光ビームＢの進行方向を直角に変更して第１レンズ４１に入射させるために立ち上げミラー２４が設けられている。
【００２８】
キャリッジ２０の上面には、サスペンション部材７０を介してスライダ５０が支持され、かつ、このスライダ５０には、レンズ軸Ｌ２が第１レンズ４１のレンズ軸Ｌ１と同一またはほぼ同一方向を向く第２レンズ４２が保持されている。
【００２９】
サスペンション部材７０は、図１、図３および図４に良く表れているように、基端部７１がキャリッジ２０の上面に連結され、先端部７２に向かうほとディスクに近付くように傾斜して延びる薄板バネ状を呈している。そして、この実施形態では、平面視においてこのサスペンション部材７０の延びる方向は、ほぼ、ディスクの半径方向であり、かつ、ディスクの半径方向外方側に基端部７１が位置し、内方側に先端部７２が位置する。
【００３０】
そして、このサスペンション部材７０の先端部７２には、ジンバルバネ８０が設けられ、このジンバルバネ８０を介してスライダ５０が支持されている。ジンバルバネ８０は、この実施形態では、図４に良く表れているように、サスペンション部材側取付け部８１と、スライダ側取付け部８２と、これらをつなぐ平行ビーム８３とを備えており、たとえば、厚さ１００μｍ以下のばね性をもった金属薄板によって形成されている。また、スライダ側取付け部８２は、平行ビーム８３の間を延びる舌片状をしており、その中間部には、エンボス状に膨出させた突起８５が形成されている。平行ビーム８３ないしサスペンション側取付け部８１は、スライダ側取付け部８２に対し、上記したサスペンション部材７０の傾斜と対応する角度で傾斜させられている。
【００３１】
スライダ５０は、平面視において長矩形を呈するとともに所定厚みを有しており、できるだけその軽量化を図るため、樹脂、アルミ合金あるいはチタン合金等によって形成される。そして、第２レンズ４２は、このスライダ５０のディスク回転方向後流側に偏位した位置に保持されている。第２レンズ４２の位置をディスク回転方向後流側に偏位させるのは、スライダ５０の浮上状態において動的に安定する側に第２レンズ４２を配置させるためである。
【００３２】
図１ないし図３に示されるように、サスペンション部材７０の先端部７２は、アクチュエータ３０とスライダ５０との間に延入させられ、ジンバルバネ８０を介してスライダ５０のアクチュエータ対向面５０ａに連結される。より具体的には、サスペンション部材７０の先端部７２にジンバルバネ８０のサスペンション部材側取付け部８１が重合接続さるとともに、スライダ側取付け部８２が、その膨出突起８５がスライダ５０の平面重心Ｐに位置するようにして、スライダ５０のアクチュエータ対向面５０ａに重合接続される。装置の作動状態において、スライダ５０は、サスペンション部材７０のばね性によって所定の圧力でディスクＤに向けて押圧される。このとき、ジンバルバネ８０のスライダ側取付け部８２に形成した膨出突起８５がサスペンション部材７０の先端部７１に点接触してこれがピボットを形成し、スライダ５０は、このピボット８５を中心として、ディスクのチルトに追従して傾斜揺動する。
【００３３】
さて、本願発明においては、アクチュエータ３０とスライダ５０が衝突した場合に、スライダ５０が所定以上の角度をもって傾斜することを防止するスライダ傾斜防止手段６０が設けられる。図に示す実施形態では、このスライダ傾斜防止手段６０は、次のようにして構成されている。
【００３４】
まず、スライダ５０のアクチュエータ対向面５０ａに、複数の突起５０ｂを設ける。実施形態では、アクチュエータ対向面５０ａの４隅部に、４箇所の突起５０ｂが形成されている。この突起５０ｂの突出高さは、図２および図６に表れているように、アクチュエータ対向面５０ａにおける第２レンズ４２の膨出高さよりも高い適当な寸法に設定されるのが望ましい。また、この突起５０ａは、スライダ５０を樹脂成形する際に一体的に形成してもよいし、別体のものを取付けてもよい。前述したように、スライダ５０の平面重心Ｐに対応してジンバルバネ８０のピボット８５が配置されることから、平面重心Ｐからの各突起５０ｂのスライダ短辺方向の変位量ａおよび長辺方向の変位量ｂは、等しくなる。また、この突起５０ｂは、その一部または全部をゴムなどの衝撃緩衝部材によって形成してもよい。
【００３５】
次に、アクチュエータ３０のスライダ対向面３０ａに、スライダ５０に設けた４箇所の突起５０ｂと対向する４箇所の突起３０ｂを設ける。この突起３０ｂの高さは、アクチュエータ３０のスライダ対向面３０ａにおけるその他の機能部品等からなる突部高さよりも高い適当な寸法に設定されるのが望ましい。また、この突起３０ｂは、たとえば、アクチュエータ３０の本体部を樹脂成形する際に一体的に形成してもよいし、別体のものを取付けてもよい。そして、スライダ５０に設けた突起５０ｂの場合と同様に、この突起５０ｂは、その一部または全部をゴムなどの衝撃緩衝部材によって形成してもよい。
【００３６】
次に、上記構成を有する光ディスク装置の作動について説明する。
【００３７】
図２に表れているように、ディスクＤの回転状態において、スライダ５０は、サスペンション部材７０のもつ弾性によって、所定の圧力でディスクＤの表面に圧し付けられる。スライダ５０は、ディスクの回転に伴ってディスクＤとの間に流入する空気によるエアベアリング効果によって、ディスクＤに対してわずかなすきまを介して浮上させられる。
【００３８】
アクチュエータ３０に保持される第１レンズ４１とスライダ５０に保持される第２レンズ４２とが対物レンズとして機能し、光源から照射させられ、かつ立ち上げミラー２４によって進行方向を転換された光ビームＢは、この第１レンズ４１と第２レンズ４２とによってディスクＤの記録層にビームスポットを形成する。上記のように対物レンズが第１レンズ４１と第２レンズ４２とに分離されているので、対物レンズの総合的なＮＡが高められ、したがって、小さなビームスポットを形成することができる。このビームスポットは、光パルス変調方式または磁界変調方式によってディスクに記録マークを形成する際に用いられるほか、記録マークからの信号を再生する際に用いられる。
【００３９】
ディスクＤからの反射光は、おなじ経路をたどって図外の検出系に導入される。検出系では、フォーカスエラー信号およびトラックエラー信号が生成され、これらに基づいてフォーカッシング制御およびトラッキング制御が行なわれる。フォーカッシング制御は、二次元アクチュエータ３０をフォーカス方向に駆動することにより行なわれる。トラッキング制御は、粗シーク機構２２の駆動および／または二次元アクチュエータ３０のトラッキング方向への駆動によって行なわれる。検出系ではまた、再生信号の検出が行なわれる。
【００４０】
スライダ５０は、サスペンション部材７０の先端部に対して、ジンバルバネ８０のピボット８５を中心として揺動可能となっているから、ディスクのチルトに追従して傾斜揺動する。したがって、第２レンズ４２がディスクの直近においてディスクにならって姿勢変位するため、コマ収差が軽減される。スライダ５０はまた、ディスクの厚みむら（面ぶれ）に応じてフォーカス方向に変位する。しかし、フォーカスエラー信号によってアクチュエータ３０が駆動され、第１レンズ４１と第２レンズ４２との間隔が適正に保たれるので、波面収差が抑制される。
【００４１】
ところで、光ディスクの作動中に外部から衝撃が与えられたような場合、あるいは、ディスク上の読み取りエリアあるいは読み取りトラックを見失った場合にそれを回復できずにアクチュエータ３０がフォーカス方向に大きな往復変位を繰り返す、いわゆるアクチュエータ３０の暴走が生じたような場合、アクチュエータ３０とスライダ５０とが接触してしまう場合がある。
【００４２】
上記構成においては、アクチュエータ３０のスライダ対向面３０ａとスライダ５０のアクチュエータ対向面５０ａに互いに対向する突起３０ｂ，５０ｂを設けてあるので、上記のようにアクチュエータ３０とスライダ５０とを互いに接触させようとする力が働いたとしても、図６に示すように、両者３０，５０の突起３０ｂ，５０ｂどうしが接触するので、スライダ５０が無理に傾斜してジンバルバネ８０が塑性変形してしまうといった事態が回避される。しかも、図に示す実施形態においては、ジンバルバネ８０のピボット８５が配置されるスライダ５０の平面重心Ｐからの各突起５０ｂのスライダ短辺方向の変位量ａおよび長辺方向の変位量ｂを等しくしているので、突起３０ｂ，５０ｂどうしが接触した状態において、スライダ５０にさらに偶力が作用するということもない。
【００４３】
ディスクＤのチルトに対するスライダ５０の倣い応答性を向上させるには、スライダ５０の外形および質量をできる限り抑制し、かつ、ジンバルバネ８０のバネ剛性をできるかぎり小さくするのがよいが、上記構成によれば、このような要求を満たし、最高のスライダ５０の倣い特性を達成しつつ、ジンバルバネ８０の破損による不具合を都合よく回避することができるのである。
【００４４】
前述したように、アクチュエータ３０に設ける突起３０ｂあるいはスライダ５０に設ける突起５０ｂは、アクチュエータ３０またはスライダ５０に対して一体形成してもよいが、別体のものを取付けてもよい。この場合において、突起３０ｂ，５０ｂの一部または全部をゴム等の衝撃緩衝部材によって形成しておけば、アクチュエータ３０とスライダ５０との衝突時の衝撃を緩和し、アクチュエータ３０またはスライダ５０の破損を回避することもできる。
【００４５】
もちろん、この発明の範囲は上述した実施形態に限定されるものではない。実施形態では、アクチュエータ３０とスライダ５０の双方に突起３０ｂ，５０ｂを設けたが、いずれか一方のみに突起を形成するだけでもよい。要は、アクチュエータ３０とスライダ５０とが衝突した場合、スライダ５０に不要な傾斜が発生しないように構成すればよいのである。
【００４６】
【発明の効果】
以上のように本願発明によれば、アクチュエータに第１レンズを保持させる一方、キャリッジから延出するサスペンション部材の先端部にジンバルバネを介して支持させたスライダに第２レンズを保持させ、これら第１レンズと第２レンズとでディスクにビームスポットを形成するようになされた光ディスク装置において、アクチュエータとスライダとの衝突時にスライダに不要な偶力が作用してジンバルバネが破損するといった事態を有効に回避しつつ、スライダのディスクに対する高い倣い特性を達成することができる。
【図面の簡単な説明】
【図１】本願発明の一実施形態の全体構成を示す模式的斜視図。
【図２】図１のII−II線に沿う拡大断面図。
【図３】要部拡大斜視図。
【図４】サスペンション部材に対するスライダの取付け構造の説明図。
【図５】スライダの裏面方向斜視図。
【図６】作用説明図。
【図７】従来例を示す斜視図。
【符号の説明】
１０  スピンドル
２０  キャリッジ
２１  ガイドロッド
２２  シーク機構
２３  直進ボイスコイルモータ
２４  立ち上げミラー
３０  アクチュエータ
３０ａ  スライダ対向面
３０ｂ  突起
４１  第１レンズ
４２  第２レンズ
５０  スライダ
５０ａ  アクチュエータ対向面
５０ｂ  突起
６０  スライダ傾斜防止手段
７０  サスペンション部材
８０  ジンバルバネ
８１  サスペンション部材側取付け部
８２  スライダ側取付け部
８３  平行ビーム
Ｄ    ディスク
【図１】
0004044258.tif 000002
【図２】
0004044258.tif 000003
【図３】
0004044258.tif 000004
【図４】
0004044258.tif 000005
【図５】
0004044258.tif 000006
【図６】
0004044258.tif 000007
【図７】
0004044258.tif 000008